(57)【要約】【課題】  構造的な強度が高く、建物から大きく離隔する位置にまでシートを張り出すことができる日よけ雨よけ装置を提供する。【解決手段】  建物２００から所定距離離隔して立設された一対の柱４０、５０と、該柱のそれぞれから、建物に巻き取り巻き出し可能に張り渡されたワイヤ６０、７０と、これらワイヤ間に架け渡された前板３０と、該前板に一端側が取り付けられるとともに他端側が建物側に巻き取り可能に構成されたシート部材２０とを備える。【選択図】      図２
2006169835.tif 000002
【特許請求の範囲】
【請求項１】
建物から所定距離離隔して立設された一対の柱と、該柱のそれぞれから、前記建物に巻き取り巻き出し可能に張り渡されたワイヤと、これらワイヤ間に架け渡された前板と、該前板に一端側が取り付けられるとともに他端側が前記建物側に巻き取り可能に構成されたシート部材と、を備え、
前記ワイヤを前記柱側に引き寄せることにより、前記前板が前記柱に向けて移動されるとともに、前記シート部材が前記柱方向に巻き出される、ことを特徴とする日よけ雨よけ装置。
【発明の詳細な説明】
【技術分野】
【０００１】
本発明は、テラス、バルコニー、ベランダ等に好適に用いられる日よけ雨よけ装置に関する。
【背景技術】
【０００２】
生活の洋風化が進み、住宅の分野においても、建物の開口部前面にテラス、バルコニー、ベランダ等を備えて、外気のもとで、読書をしたり、軽食事をとったりなどする生活を楽しむ機会が多くなってきている。
【０００３】
テラス、バルコニー、ベランダ等は、通常屋根がないため、直射日光や雨をさえぎる手段があればさらに戸外で外気に触れる生活を快適にすることができる。
【０００４】
かかる日よけ、雨よけの装置として特許文献１には、オーニング装置の一例が開示されている。オーニング装置は、建物などの躯体に巻き取り装置を取り付け、かかる巻き取り装置からアームなどを手がかりとして、シート状のテントを室外方向に張り出すものである。
【特許文献１】特開２０００−９６８７７号公報
【発明の開示】
【発明が解決しようとする課題】
【０００５】
しかし、オーニング装置など従来の日よけ雨よけ装置は、アームを形成する部材の一端側が建物等に固定されているのみで、他端側は自由端となっているため、強度が不足することがあり、強風に弱いという問題があった。また建物等から大きく離隔した位置にまでテントを張り出すのは強度上困難であり、奥行きのある日よけ雨よけエリアを創造することが困難であるという問題もあった。
【０００６】
そこで、本発明は、構造的な強度が高く、建物から大きく離隔する位置にまでシートを張り出すことができる日よけ雨よけ装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、建物（２００）から所定距離離隔して立設された一対の柱（４０、５０）と、該柱のそれぞれから、建物に巻き取り巻き出し可能に張り渡されたワイヤ（６０、７０）と、これらワイヤ間に架け渡された前板（３０）と、該前板に一端側が取り付けられるとともに他端側が建物側に巻き取り可能に構成されたシート部材（２０）とを備え、ワイヤを柱側に引き寄せることにより、前板が柱に向けて移動されるとともに、シート部材が柱方向に巻き出される、ことを特徴とする日よけ雨よけ装置（１００）により前記課題を解決する。
【発明の効果】
【０００９】
請求項１に記載の発明によれば、建物から所定距離離隔された位置に立設された一対の柱と建物との間に、一対のワイヤが張り渡され、これらワイヤの間に前板が架け渡されている。一方、前板は、シート部材の一端側に固定されているとともに、他端側は建物側に巻き採り可能に構成されている。かくしてワイヤを柱側に引き寄せることにより、前板が室外側に移動され、シート部材が建物側から外に向けて巻き出される。
【００１０】
前板が柱に当接されるまで引き寄せられた場合（以下において「開いた状態」ということがある。）には、巻き取られていたシート部材が完全に巻き出され、二本の柱と前板とで、門形の構造を構成し、この前板にシート部材の一端側が固定されているので、シート部材の４隅が地上から立設された部材に直接固定された状態、あるいはそれに非常に近い状態となる。従って、この開いた状態においては、風などの影響を受けにくく、高い強度を保つことができる。また、開いた状態において高い強度を得ることができるので、柱の位置を建物から大きく離隔しても使用に耐え得る日よけ雨よけ装置とすることができる。従って、建物から離隔する方向に対して、奥行きの深い日陰、雨よけ可能な面積を得ることが可能となる。
【００１１】
また、シート部材が完全に巻き取られた状態（以下において「閉じた状態」ということがある。）から、開いた状態に至る途中の状態（以下において、「半開き状態」ということがある。）に停止させて使用することができる。さらにこの半開き状態においても、前板は建物と柱との間に張り渡されたワイヤに支えられているので、建物に一端側のみ取り付けられたアームを有する従来の日よけ雨よけ装置と比較して、高い強度を保つことができる。
【００１２】
加えて、前板は閉じた状態においては建物開口部の上方に配置することが可能であり、前板のデザインを適宜選択することにより、柱に装飾を施すことと加えて、建物開口部の意匠性を事後的に高めることが容易である。
【００１３】
本発明のこのような作用及び利得は、次に説明する発明を実施するための最良の形態から明らかにされる。
【発明を実施するための最良の形態】
【００１４】
以下本発明を図面に示す実施形態に基づき説明する。
【００１５】
図１は、閉じた状態の日よけ雨よけ装置を概略的に示す斜視図、図２は開いた状態の日よけ雨よけ装置を概略的に示す斜視図である。図示の日よけ雨よけ装置１００（以下に「日よけ装置１００」と省略して記載することがある。）は、通常出入り口等の開口部３００の前面にデッキ４００を有する建物２００に取り付けられるものである。建物２００の開口部３００室外側に配置されるデッキ４００には、建物４００から所定の距離離隔された位置に、一対の柱４０、５０が略鉛直に立設されている。柱４０、５０それぞれの頂部近傍から、建物２００にワイヤ６０、７０が架け渡されている。建物２００へのワイヤ６０、７０の取り付け部位２点を結ぶ線分は開口部３００の上方に水平に配置されている。この線分に沿って建物２００外壁にはシート巻き取り装置１０が取り付けられている。シート巻き取り装置１０にはシート部材２０が巻き取られている。図２に明確に示されているように、シート部材２０の一端側には、前板３０が取り付けられている。前板３０は、その両端がワイヤ６０、７０にそれぞれ固定されている。
【００１６】
次に、図１及び図２を参照しつつ、シート部材２０の巻き出し、巻き取り動作について説明する。後に図３、４により説明するように、柱４０、５０には、ワイヤ６０、７０を巻き取りかつ巻き出すことができるワイヤ巻き取り巻き出し装置８０（または９０）が取り付けられている。
【００１７】
図１に示すように、閉じた状態にある日よけ装置１００の前板３０は建物２００に近接して配置されている。この状態から、ワイヤ巻取り巻き出し装置８０（または９０）により、ワイヤ６０、７０を柱４０、５０方向に引き寄せると、それにつれて前板３０も柱４０、５０方向に引き寄せられ、前板３０に一端側が固定されているシート部材２０が、巻き取り装置１０から巻き出される。
【００１８】
図２は、ワイヤ巻取り巻き出し装置８０（または９０）の上記動作を継続して行い、前板３０が柱４０、５０の上端近傍まで引き寄せられた状態（開いた状態）を示すものである。この状態では、シート部材２０のほぼ全体が巻き取り装置１０から巻き出されて、シート部材２０により、デッキ４００が覆われている。従って、デッキに日陰を造ることができ、また雨をさえぎることが可能となる。
【００１９】
図２に示す日よけ装置１００の開いた状態では、一対の柱４０、５０の上端に前板３０が架け渡された状態になり、門形の強度が高い構造ができている。従って、全体が巻き出されたシート部材２０に強風があたっても、吹き上げられにくい強固な構造を得ることができる。また、かかる強固な構造を得ることができるため、建物２００と柱４０、５０との距離を長くとることができ、シート部材２０により創造される日陰、あるいは雨よけスペースを深く大きくとることができる。
【００２０】
図３は、ワイヤ巻き取り装置の一例を示す図である。図３（Ａ）に示されているとおり、ワイヤ巻き取り装置８０は、柱側ユニット８０Ａと、建物側ユニット８０Ｂとからなる。図３（Ｂ）に概略的に断面が示されている柱側ユニット８０Ａは、柱５０（柱４０にも、同様のユニットが取り付けられているので、その説明は省略する。）の上部に取り付けられている。柱５０には、ボックス８６が取り付けられ、ボックス８６には、車輪８５が回転自在に取り付けられている。ボックス８６の上下の面は、開口されており、これら開口から車輪８５が露出している。一方ボックス８６の側部には小ボックス８２が取り付けられており、小ボックス８２には回転体１８０が回転自在に取り付けられている。回転体１８０は鉛直方向に軸心を有しており、その最下部には輪８１が形成されている。この輪８１に、手動回転治具１８１の先端を引っ掛けて回転させると、回転体１８０の上部に回転体１８０の一部として形成されている円盤８３が回転する。円盤８３の上面には、放射状に歯車が形成されている。一方、車輪８５と同軸上には円盤８３の歯車と噛み合う歯が形成された小歯車８４が形成されている。従って、回転体１８０が回転されることにより、小歯車８４が回転し、車輪８５もそれにつれて回転される。
【００２１】
建物側ユニット８０Ｂは、建物２００に直接取り付けられるボックス８７と、ボックス８７内に回転自在に取り付けられた車輪８８とを備えている。ボックス８７の上下の面も開口しており、これら開口から車輪８８が露出している。そして二つの車輪８５、８８間にワイヤ７０Ａが架け渡されている。
【００２２】
かかる構成により、手動回転治具１８１を回転体１８０の輪８１に引っ掛けて回転させることにより、二つの車輪８５、８８が回転されて、それらに架け渡されたワイヤ７０Ａを建物側と柱側との間で移動させることができる。
【００２３】
図４は、ワイヤ巻き取り装置の他の一例を示す図である。図４（Ａ）に示されているように、ワイヤ巻き取り装置９０は、柱側ユニット９０Ａと、建物側ユニット９０Ｂとからなる。図４（Ｂ）に概略的な断面が示されている柱側ユニット９０Ａは、柱５０（柱４０にも、同様のユニットが取り付けられているので、その説明は省略する。）の上部に取り付けられている。柱側ユニット９０Ａの構成は次のとおりである。クランク状の手回し部材９１が柱５０に回転自在に取り付けられている。手回し部材９１の柱５０内部側には、側面に歯面が形成された歯車９２が備えられている。
【００２４】
一方、柱５０の内部には垂直方向に長さを有する回転軸９４が水平面に回転自在に取り付けられている。回転軸９４の上下には、それぞれ下面、上面側に歯面が形成されている円盤９３、９５が設けられている。歯車９２の歯面と円盤９３の歯面とは噛み合っている。
【００２５】
手回し部材９１の上方には、柱５０に回転自在に取り付けられた回転体９８が備えられている。回転体９８の回転面は鉛直方向である。回転体９８の外部側には車輪９７が、柱５０の内部側には歯車９６が固定されている。歯車９６は円盤９５の歯面と噛み合っている。一方建物側ユニット９０Ｂの構成は上記第一例の建物側ユニット８０Ｂと同一であり、車輪９９を備えている。そして車輪９７、９９間にはワイヤ７０Ｂが架け渡されている。
【００２６】
かかる構成のワイヤ巻き取り装置９０において、手回し部材９１を手動で回転させることにより、二つの車輪９７、９９が回転されて、それらに架け渡されたワイヤ７０Ｂを建物側と柱側との間で移動させることができる。
【００２７】
図５は、日よけ雨よけ装置１００の実施例を示す鳥瞰図であり、閉じた状態を示すものである。また、図６は、日よけ雨よけ装置１００の実施例を示す鳥瞰図であり、開いた状態を示すものである。これらの図にも示されているように、柱４０、５０には各種の装飾を施すことが可能である。まず、柱自体の形状を、断面形状が一定の円形ではなく、先細り形状となすことができる。柱の先端に装飾を施してもよい。また柱に例えばプランターなどをぶら下げるための部材を取り付けてもよい。柱にポストを取り付けてもよい。さらに、犬をつないでおく紐をかけることができる部材などを取り付けてもよい。これら柱に取り付ける部材により、日よけ雨よけ装置下をよりゆとりある空間にすることができる。
【００２８】
次に、本発明の日よけ雨よけ装置を構成する各部材について簡単に説明する。本発明の日よけ雨よけ装置を構成する各部材は特に限定されるものではないが、シート部材は、日よけとして使用する場合、耐侯性、強度、コストなどの観点から、アクリル繊維や、ポリエステル繊維を使用することが好ましい。また、日よけと雨よけとを兼用する場合には、耐水性のフィルム（例えばポリエチレン）を積層したシートを使用することができる。
【００２９】
ワイヤは防錆性に優れるという観点からステンレス鋼製のワイヤを使用することが好ましい。また、一対の柱は、美観や生産性の観点から、アルミニウム押し出し材を使用することが好ましい。前板は、押し出し材を使用して簡素なデザインに仕上げることも可能であるが、デザイン上のポイントとなるべき部材でもあるので、鋼、アルミニウム、銅など金属製の鋳造品を使用しても良い。
【００３０】
なお、柱は上記実施形態においては円柱状の押し出し材を使用した例を示しているが、四角形状等他の断面形状をとっても良い。また、柱に照明、ポスト、植栽用ポット等を取り付けるための部材を設け、あるいは取り付けてもよい。
【００３１】
ワイヤ巻き取り装置８０、９０は手動のものについて説明したが、電動機により作動するものであってもよい。
【００３２】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能であり、そのような変更を伴う日よけ雨よけ装置もまた本発明の技術的範囲に包含されるものとして理解されなければならない。
【図面の簡単な説明】
【００３３】
【図１】閉じた状態の日よけ雨よけ装置を概略的に示す斜視図である。
【図２】開いた状態の日よけ雨よけ装置を概略的に示す斜視図である。
【図３】ワイヤ巻き取り装置の一例を示す図である。
【図４】ワイヤ巻き取り装置の他の一例を示す図である。
【図５】日よけ雨よけ装置の実施例を示す鳥瞰図であり、閉じた状態を示すものである。
【図６】日よけ雨よけ装置の実施例を示す鳥瞰図であり、開いた状態を示すものである。
【符号の説明】
【００３４】
１０  巻き取り装置
２０  シート部材
３０  前板
４０、５０  柱
６０、７０  ワイヤ
８０、９０  ワイヤ巻き取り巻き出し装置
１００  日よけ雨よけ装置
２００  建物
３００  開口部
４００  デッキ
【図１】
2006169835.tif 000003
【図２】
2006169835.tif 000004
【図３】
2006169835.tif 000005
【図４】
2006169835.tif 000006
【図５】
2006169835.tif 000007
【図６】
2006169835.tif 000008